(57)【要約】      （修正有）【課題】小便を溜める液体タンクを有する簡易トイレ小便用タンクに関するもので、風が吹いても、トイレが設置している場所から移動したり、タンクが転倒したりする事がない、簡易トイレ小便用タンクを提供する。【解決手段】小便を収納する液体タンク２の左右の外側側面に凹部又は凸部６を設け、その凹部又は凸部に嵌合する転倒防止板９を備え、転倒防止板９を液体タンク２の両側面に嵌合する事により、液体タンク２の転倒がなくなる。【選択図】図１
2019201714.tif 000002
【特許請求の範囲】
【請求項１】
小便受部からの液体を収納する液体タンクであって、前記液体タンクは、相対するそれぞれの側面に凹部又は凸部を有し、それぞれの前記凹部又は前記凸部に、一端部が嵌合し、他端部が前記液体タンクが設置される設置面に固定される転倒防止板を備えた簡易トイレ小便用タンク。
【請求項２】
前記凹部は、前記転倒防止板の前記一端部が嵌合する他の凸部を有する事を特徴とする、請求項１記載の簡易トイレ小便用タンク。
【請求項３】
小便受部と、前記小便受部からの液体を収納する液体タンクとを備え、前記液体タンクは、相対するそれぞれの側面に凹部又は凸部を有し、それぞれの前記凹部又は前記凸部に、一端部が嵌合し、他端部が前記液体タンクが設置される設置面に固定される転倒防止板を備えた事を特徴とする簡易トイレ小便器。
【請求項４】
前記凹部は、前記転倒防止板の前記一端部が嵌合する他の凸部を有する事を特徴とする請求項３記載の簡易トイレ小便器。
【発明の詳細な説明】
【技術分野】
【０００１】
本発明は、小便を溜める液体タンクを有する簡易トイレ小便用タンクに関するものである。
【背景技術】
【０００２】
従来の簡易トイレ小便器は、プラスチック樹脂製で出きており小便受部、排尿タンク、土台の三部分を組立てて構成されている（特許文献１参照）。
【先行技術文献】
【特許文献】
【０００３】
【特許文献１】特許第６２６８３３９号公報
【発明の概要】
【発明が解決しようとする課題】
【０００４】
特許文献１に記載の簡易トイレ小便器は、排尿タンクに小便受部の排尿パイプを差し込んで排尿タンクと一体化されている。
【０００５】
この簡易トイレ小便器には、小便受部の左右の外側側面の下方に保持具が設けられている。この保持具に、地中に差し込んでいる杭などからのロープ又は針金などが引っ張って取付けられて、簡易トイレ小便器が固定されている。しかしながら、このような構成では、左右からの風には強いが、前後の風には小便器全体が前後に動き転倒する可能性がある。
【０００６】
又、上記構成では、小便受の側面が、針金、ロープなどで地面に向けて引っ張られているため、針金、ロープなどで脚を引っ掛ける事があり危険である。
【課題を解決するための手段】
【０００７】
本発明は、小便を収納する液体タンクの左右の外側側面に凹部又は凸部を設け、その凹部又は凸部に嵌合する転倒防止板を備えたものである。
【発明の効果】
【０００８】
転倒防止板を液体タンクの両側面に嵌合する事により、液体タンクの転倒がなくなる。
【図面の簡単な説明】
【０００９】
【図１】本発明の、実施形態の簡易トイレ小便用タンクの正面図。
【図２】Ｌ形転倒防止板の斜視図。
【図３】簡易トイレ小便用タンクの側面図。
【図４】簡易トイレ小便用タンクの平面図。
【図５】図５は本発明の実施の形態の簡易トイレ小便用タンクを用いた簡易トイレ小便器を示す組立図。
【図６】本実施の形態の簡易トイレ小便用タンクの排出状態を示す図。
【図７】図３の簡易トイレ小便用タンクにＬ形転倒防止板を取り付けた状態のＡ１―Ａ２の断面図である。
【図８】本発明の他の実施形態の液体タンクの正面図。
【発明を実施するための形態】
【００１０】
以下本発明の、実施形態を図１〜図７に基づいて説明する。
【００１１】
図１は本発明の実施形態の簡易トイレ小便用タンク１の正面図を示す。この図において、本実施形態の簡易トイレ小便用タンク１は、小便を収納する液体タンク２を備えている。
【００１２】
図１の液体タンク２の両側面には凹部６が設けられている。その凹部６の中心に凸部７が形成されている。
【００１３】
液体タンク２の両側面に設けた凹部６と、凹部６の中心に設けている凸部７とに、Ｌ形転倒防止板９の凸部差し込部１２に嵌合させて液体タンク２と地面Ｙとを固定する。
【００１４】
図２において、Ｌ形転倒防止版９に形成された杭穴１１を、杭１０に差し込んで、液体タンク２を地面Ｙに固定する。
【００１５】
図３は簡易トイレ小便用タンク１の側面図を示す。この小便用タンク１の上部に取手４を設け、取手４の後ろ側には液体タンク１の中味を排出する、取外し自在の排出用ノズル３を設けている。
【００１６】
排出用ノズル３は、タンクの中の悪臭を空間に放出しているため、液体を排出するとき以外にも、トイレの使用時に小便受のふた１７（図５）を開閉したときに、臭いを抑える事ができる効果を有する。
【００１７】
図４は、簡易トイレ小便用タンク１の平面図であって、上部の前方Ａに小便流入口５を設けている。この小便流入口５は、大、小の小便流入パイプ１５（図５）の差し込みが出きるように、口径が約７０ｍｍに形成されている。又、小便流入口５の外側に設けている固定ネジ５Ａは、市販の小便受１４（図５）の小便流入パイプ１５の太さが細い場合などに調整して、小便受１４を固定するものである。
【００１８】
図５は、簡易トイレ小便用タンク１の小便流入口５に取り付ける市販用の小便受１４を、簡易トイレ小便用タンク１の小便流入口５に差し込む際の組立図である。
【００１９】
図６は、液体タンク２に溜まった小便を、工事現場や会社に持ち帰り、会社などに設置されている汚水点検口１６に流している排出状態を示す図である。
【００２０】
図７は、図３の簡易トイレ小便用タンク１のＡ１−Ａ２の断面図である。この図の凹部６と凸部７の部分にＬ形転倒防止版９の凸部差し込部１２に引っ掛かるため、簡易トイレ小便用タンク１が左右前後に倒れにくくなっている。
【００２１】
図８は、本発明の他の実施形態を示す正面図である。図８の液体タンク２の両側面Ｃには、凹部６は設けず、凸部７Ａだけ設け、その凸部７Ａを転倒防止板９の凸部差し込み部１２に差し込んでいる。
【００２２】
なお、簡易トイレ小便用タンク１をコンクリート上に接地する場合などは、杭１０が使用できないためＬ形転倒防止板９の杭穴１１の部分にブロックを置いて使用できる。
【符号の説明】
【００２３】
１    簡易トイレ小便用タンク
２    液体タンク
３    排出用ノズル
４    取手
５    小便流入口
５Ａ    固定ネジ
６    凹部
７    凹部の中の凸部
７Ａ    凸部
８    小便排出口
９    Ｌ形転倒防止板
１０    杭
１１    杭穴
１２    凸部差し込み部
１３    Ａ１―Ａ１の断面図
１４    小便受
１５    小便流入パイプ
１６    汚水点検口
１７    ふた
Ａ      タンクの前面
Ｂ      タンクの後面
Ｃ      タンクの側面
Ｙ      地面
【図１】
2019201714.tif 000003
【図２】
2019201714.tif 000004
【図３】
2019201714.tif 000005
【図４】
2019201714.tif 000006
【図５】
2019201714.tif 000007
【図６】
2019201714.tif 000008
【図７】
2019201714.tif 000009
【図８】
2019201714.tif 000010
【手続補正書】
【提出日】平成30年11月29日(2018.11.29)
【手続補正１】
【補正対象書類名】特許請求の範囲
【補正対象項目名】全文
【補正方法】変更
【補正の内容】
【特許請求の範囲】
【請求項１】
小便受部からの液体を収納する液体タンクであって、前記液体タンクは、直方体形状であり、平面視長手方向の相対するそれぞれの側面に凸部を有し、それぞれの前記凸部に、一端部が嵌合し、他端部が前記液体タンクが設置される設置面に固定される転倒防止板を備えた簡易トイレ小便用タンク。
【請求項２】
前記平面視長手方向の相対するそれぞれの側面に凹部が形成され、前記凸部は前記凹部に形成された事を特徴とする請求項１記載の簡易トイレ小便用タンク。
【請求項３】
前記転倒防止板は、前記一端部と前記他端部とで断面Ｌ字状を形成する事を特徴とする請求項１記載の簡易トイレ小便用タンク。
【請求項４】
小便受部と、前記小便受部からの液体を収納する液体タンクとを備え、前記液体タンクは、直方体形状であり、平面視長手方向の相対するそれぞれの側面に凸部を有し、それぞれの前記凸部に、一端部が嵌合し、他端部が前記液体タンクが設置される設置面に固定される転倒防止板を備えた事を特徴とする簡易トイレ小便器。
【請求項５】
前記平面視長手方向の相対するそれぞれの側面は凹部が形成され、前記凸部は前記凹部に形成された事を特徴とする請求項４記載の簡易トイレ小便器。
【請求項６】
前記転倒防止板は、前記一端部と前記他端部とで断面Ｌ字状を形成する事を特徴とする請求項４記載の簡易トイレ小便用タンク。
【手続補正書】
【提出日】平成31年3月19日(2019.3.19)
【手続補正１】
【補正対象書類名】特許請求の範囲
【補正対象項目名】全文
【補正方法】変更
【補正の内容】
【特許請求の範囲】
【請求項１】
小便受部からの液体を収納する液体タンクであって、前記液体タンクは、直方体形状であり、平面視長手方向の相対するそれぞれの側面に凸部を有し、それぞれの前記凸部に、一端部が嵌合し、他端部が前記液体タンクが設置される設置面に固定される転倒防止板を備えた簡易トイレ小便用タンク。
【請求項２】
前記平面視長手方向の相対するそれぞれの側面に凹部が形成され、前記凸部は前記凹部に形成された事を特徴とする請求項１記載の簡易トイレ小便用タンク。
【請求項３】
前記転倒防止板は、前記一端部と前記他端部とで断面Ｌ字状を形成する事を特徴とする請求項１記載の簡易トイレ小便用タンク。
【請求項４】
小便受部と、前記小便受部からの液体を収納する液体タンクとを備え、前記液体タンクは、直方体形状であり、平面視長手方向の相対するそれぞれの側面に凸部を有し、それぞれの前記凸部に、一端部が嵌合し、他端部が前記液体タンクが設置される設置面に固定される転倒防止板を備えた事を特徴とする簡易トイレ小便器。
【請求項５】
前記平面視長手方向の相対するそれぞれの側面は凹部が形成され、前記凸部は前記凹部に形成された事を特徴とする請求項４記載の簡易トイレ小便器。
【請求項６】
前記転倒防止板は、前記一端部と前記他端部とで断面Ｌ字状を形成する事を特徴とする請求項４記載の簡易トイレ小便器。